(57)【要約】【課題】簡単な構成でカメラ本体と回転軸との位置精度を向上することが可能な監視カメラ装置を提供する。【解決手段】  カメラ本体１０の回動中心となる軸線上Ａに位置決め用のボス１３を設けた。このボスはカメラ本体１１に一体形成されている。そしてこのボス１３はブラケット１１ｂに設けられた勘合孔１４を貫通して、シャフト１２ｂに係合する。シャフト１２ｂにはカメラ本体側の端部１５に回動中心軸をもつ穴を設け、カメラ本体上の位置決め用のボスと精度良く係合する。【選択図】  図２
2006108743.tif 000002
【特許請求の範囲】
【請求項１】
撮像方向を任意に回動可能なカメラ装置において、  
撮像レンズを有するカメラ本体と、このカメラ本体に一体形成され、前記カメラ本体の回動中心となる軸線上に設けられたボス部と、前記カメラ本体が固定されるとともに、前記ボス部が貫通される勘合孔が設けられたブラケット部と、前記ボス部と係合するシャフト部とを具備したことを特徴とするカメラ装置。  
【請求項２】
前記ブラケットと前記シャフト部とが固定され、前記ブラケットと前記カメラ本体とが固定されていることを特徴とする請求項１記載のカメラ装置。
【請求項３】
前記シャフト部の端部には前記ボス部が係合する係合穴が形成されていることを特徴とする請求項１記載のカメラ装置。
【発明の詳細な説明】
【技術分野】
【０００１】
本発明は、画像撮影するカメラ装置に関し、特に撮影方向を任意に移動させることができる監視カメラ等のカメラ回動機構に関するものである。
【背景技術】
【０００２】
従来より、監視カメラなどの画像撮像装置は、任意の方向に撮影位置を移動可能とするような回動機構を具備している。この回動機構を実現する際に、組み立て精度を向上させるための様々な工夫がなされている。具体的には、特許文献１では、駆動軸に退位して所定の角度をなす方向に設けられた位置決め溝と、その位置決め溝に隣接し、位置決め溝と異なる方向に設けられた孔部とを設けることにより、特別な位置決め部材を用いることなく、精度良く適切な位置に駆動軸を保持することができるものが開示されている。
【特許文献１】特開平６−９４９６０号公報（第１図）
【発明の開示】
【発明が解決しようとする課題】
【０００３】
しかし、上述したような従来の軸受け構造では、軸と軸受けの位置精度向上を行っているが、軸受けに取り付けられるカメラ本体と、軸との一精度の向上については述べられていない。従って、軸受けとカメラ本体との取り付け精度については、さらに別の位置合わせ構造が必要となり、コスト増や位置精度の低下を招くこととなる。従って、本発明は上述した課題を解決するために、軸受けを介して取り付けられるカメラ装置の回動機構において、簡単な構成でカメラ本体と回転軸との位置精度を向上することが可能な監視カメラ装置を提供することを目的とするものである。    
【課題を解決するための手段】
【０００４】
本発明は上述したような課題を解決するため、撮像方向を任意に移動可能なカメラ装置において、撮像レンズを有するカメラ本体と、このカメラ本体に一体形成され、前記カメラ本体の回動中心となる軸線上に設けられたボス部と、前記カメラ本体が固定されるとともに、前記ボス部が貫通される勘合孔が設けられたブラケット部と、前記ボス部と係合するシャフト部とを具備したものである。
【０００５】
また本発明は上述した課題を解決するため、前記ブラケットと前記シャフト部とが固定され、前記ブラケットと前記カメラ本体とが固定されているものである。
【０００６】
また本発明は上述した課題を解決するため、前記シャフト部の端部には前記ボス部が係合する係合穴が形成されているものである。
【発明の効果】
【０００７】
カメラ本体と回動軸との位置精度を向上させることができる。
【発明を実施するための最良の形態】
【０００８】
以下、本発明の一実施形態について説明する。
【０００９】
図１は本発明の一実施形態を示す監視カメラ装置の構成を示した斜視図である。
【００１０】
本実施形態に示す監視カメラ装置１のカメラ本体１０は、樹脂で形成されたレンズ鏡胴構造内に撮像レンズや画像撮像素子を有し、後述する構造により任意の方向に回動して撮影する部位である。ブラケット１１ａ、１１ｂは、カメラ本体を左右両側から取り付けられる固定部材であり、それぞれ左右のシャフト１２ａ、１２ｂがカシメにより強固に固定され。ブラケット１１ａ、１１ｂは図示しない回路基板などの固定用としても使用される。シャフト１２ａ、１２ｂは同一の中心軸を持つようにブラケット１１ａ、１１ｂに取り付けられる。本実施形態では、中心軸Ａ上に取り付けられている。しそて、この中心軸Ａを回動中心として、カメラ本体１０、ブラケット１１ａ、１１ｂと共に回動可能となる。その駆動は図示しないモータ機構などによって行われ、カメラ本体の撮像方向を移動させることができるものである。
【００１１】
次に、図２を用いて図１で説明した本実施形態の各構成部位の取り付け構造について説明する。図２は、本実施形態に示す監視カメラ装置１の分解斜視図である。
【００１２】
図２に示すように、監視カメラ装置１のカメラ本体１０の回動中心となる軸線上Ａに位置決め用のボス１３を設けた。このボスはカメラ本体１１に一体形成されておりカメラ本体と共に樹脂により形成されている。そしてこのボス１３はブラケット１１ｂに設けられた勘合孔１４を貫通して、シャフト１２ｂに係合する。シャフト１２ｂにはカメラ本体側の端部１５に回動中心軸をもつ穴を設け、カメラ本体上の位置決め用のボスと精度良く係合する。
【００１３】
そして、カメラ本体に一体形成されたボス１３とシャフト１２ｂとをブラケット１１ｂを介在させ係合する一方で、ブラケット１１ｂとカメラ本体１０とは、ねじ１６ａ、１６ｂにより固定されることにより監視カメラ装置の回動構造が実現されている。つまりシャフト１２ｂとブラケット１１ｂとがカシメにより固定され、ブラケット１１ｂとカメラ本体１０とがねじ１６ａ、１６ｂにより固定され、ボス１３シャフト１２ｂと本体１０との位置合わせに用いられる。
【００１４】
次に、図４を用いてシャフト１２ｂ、ブラケット１１ｂ、ボス１３の接続構造を説明する。
【００１５】
図４は、図1における中心軸Ａ上で垂直に貫通した断面図であり、接続構造部Ｃを拡大した拡大図を併記している。接続構造部Ｃのように、シャフト１２ｂにはボス１３が係合するように、位置決め用の穴部１７が設けられ、ブラケット１１ｂの勘合穴１４を貫通して係合されている。そしてブラケット１１ａとシャフト１２ｂがカシメにより結合されることよりカメラ本体１０とシャフト１２ｂの取り付け精度を向上させつつ、ブラケット１１ｂとシャフト１２ｂを固定している。
【００１６】
以上説明したように本実施形態によれば、シャフトの位置決めはカメラ本体と直接できるような構造とし、シャフトのカメラ本体への固定はブラケットなどの固定部材を介することで、強固かつ安定な位置精度を実現したカメラ装置を提供することができるものである。
【図面の簡単な説明】
【００１７】
【図１】本発明の一実施形態を示す監視カメラ装置の構造を示す斜視図である。
【図２】同実施形態における監視カメラ装置の接続状況を説明するための分解斜視図である。
【図３】同実施形態におけるカメラ本体、ブラケット、シャフトの結合構造を説明するための断面図である。
【符号の説明】
【００１８】
１０…カメラ本体、１１ａ、１１ｂ…ブラケット、１２ａ、１２ｂ…シャフト、１３…ボス、１４…勘合孔、１５…シャフト端部、１６ａ、１６ｂ…ねじ、１７…位置決め用穴部。
【図１】
2006108743.tif 000003
【図２】
2006108743.tif 000004
【図３】
2006108743.tif 000005